(57)【要約】      （修正有）【課題】綿布雑巾をワンタッチ方式で交換できる綿布雑巾掃除機を提供する。【解決手段】蓋の開閉作用によって往復運動をする第１水平ギア１５、１１５、第１水平ギアの往復運動によって第２水平ギア１７、１１７に動力を伝達するように回転する中間ギア１６、１１６、中間ギアの回転によって前記第１水平ギア１５、１１５と反対方向に往復運動をする第２水平ギア１７、１１７、前記第２水平ギアの端部に組み立てられて圧縮と弛緩とを反復するスプリング１４、１１４、前記第１及び第２水平ギア１５、１１５；１７、１１７にそれぞれ組み立てられた外部挟み部材２１、１９、スプリング２５、１２５；２９、１２９により弾性力を受ける支持部材２４、１２４；２８、１２８、及び前記支持部材にそれぞれ組み立てられた内部挟み部材２２、２６よりなることを特徴とする。【選択図】図４
2004344638.tif 000002
【特許請求の範囲】
【請求項１】
下部本体（１）、該下部本体に開閉自由に組み立てられる蓋（２）及び該蓋を貫通して前記下部本体に組み立てられるハンドル（３）よりなる綿布雑巾掃除機であって、
前記下部本体と蓋とを結合してスライディング運動をするように組み立てられる結合作動部（５０、１５０）と、
支持部材（２４、１２４；２８、１２８）に組み立てられ、蓋が閉まっているとき、該支持部材に挿入されたスプリング（２５、１２５；２９、１２９）によって外部側に弾性力を受けるように、前記下部本体の両側横の端に、綿布雑巾を挟むために設けられる内部挟み部材（２２、２６）と、
前記蓋の開閉作用につれて、第２水平ギア（１７、１１７）の端部に組み立てられたスプリング（１４、１１４）の圧縮力により外部側に離れるように往復運動をする第１及び第２水平ギア（１５、１１５；１７、１１７）に組み立てられた外部挟み部材（２１、１９）とを含む、綿布雑巾掃除機。
【請求項２】
前記第１及び第２水平ギア（１５、１１５；１７、１１７）がそれぞれ外部挟み部材（２１、１９）と結合されるとき、外部挟み部材が下部側に弾性力を受けるように、それぞれスプリング（２０、１２０；１８、１１８）が挿入される、請求項１に記載の綿布雑巾掃除機。
【請求項３】
前記支持部材（２４、１２４；２８、１２８）がそれぞれ内部挟み部材（２２、２６）と結合されるとき、内部挟み部材が下部側に弾性力を受けるように、それぞれスプリング（２３、１２３；２７、１２７）が挿入される、請求項１に記載の綿布雑巾掃除機。
【請求項４】
前記結合作動部は、下部が下部本体（１）に固定されるように組み立てられ、上部はスライド部材（３５、１３５）の中間部位に回転するように組み立てられる一対の支持部材（３４、１３４）、及び上部が蓋のスライド部材組立部（３９）に組み立てられ、下部は第１水平ギア（１５、１１５）に組み立てられて第１水平ギアと一体に運動する一対のスライド部材（３５、１３５）からなり、蓋が開閉されると、スライド部材はスライディング運動をし、第１水平ギアは往復運動し、第１水平ギアに結合された外部挟み部材が外部側に離れる、請求項１に記載の綿布雑巾掃除機。
【請求項５】
前記下部本体に形成されたハンドル固定部（１１）に中間締結部材（３０２）が組み立てられ、その上に前記ハンドルが組み立てられる、請求項１に記載の綿布雑巾掃除機。
【請求項６】
前記中間締結部材（３０２）は、下部部材（３１０）、上部部材（３１２）、及びその間に挿入されるスプリング（３１１）からなり、前記スプリング（３１１）は上部に上部スプリング突起（３０６）と下部に下部スプリング突起（３０７）とが形成され、上部スプリング突起は上部部材（３１２）の穴（３１３）に位置し、下部スプリング突起は下部部材（３１０）の穴に位置して上下部スプリング突起（３０６、３０７）がスプリングの圧縮力による弾性を維持し、上部スプリング突起（３０６）はハンドル締結部材（３０１）の底面に形成された溝（３０９）に位置してハンドル（３）が直立することができる構造を有する、請求項１に記載の綿布雑巾掃除機。
【発明の詳細な説明】
【技術分野】
【０００１】
本発明は綿布雑巾掃除機に関する。より具体的に本発明は、家庭の居間、事務室などの床またはガラス窓をウェットモップまたは不織布雑巾で掃除するための掃除機に関するもので、綿布雑巾をワンタッチ方式で容易に交替することができる綿布雑巾掃除機に関する。
【背景技術】
【０００２】
一般家庭の居間やカーペットが敷かれていない事務室などの床または汚れたガラス窓はいろんな方法で掃除されている。一般家庭ではウェットモップを用い、うつぶせて居間などの床をふいている。このようなウェットモップによる掃除方法は最も原始的な方法で多くの肉体労働を必要としている。また、カーペットが敷かれていない事務室などの床は雑巾が長柄に取り付けられている長柄付き雑巾を用いている。しかし、この長柄付き雑巾は雑巾が長柄に固定されているため、雑巾をきれいに洗濯して使用し難しい実情である。従って、長柄付き雑巾を用いて床をふく場合にはきれいな状態を維持し難しい実情である。タオルなどの綿布をウェットモップ掃除機に装着して用いるウェットモップ掃除機は、ウェットモップを分離して洗濯することができるが、ウェットモップを掃除機に脱着するに不都合がある。床をふくためのまた他の方法は、真空掃除機を用いることである。真空掃除機は本来カーペットが敷かれている床を掃除するためのもので、カーペットが敷かれていない床をきれいにふくことは容易でない実情である。
【０００３】
特に、韓国や日本のように室内で靴を脱いで生活する東洋文化圏では、きれいに洗濯されたウェットモップで室内の床をきれいにふくべき必要性がある。このような観点で、本発明者は、きれいに洗濯された雑巾を容易に脱着させて室内の床を便利にふくことができるウェットモップ掃除機を開発し、以下の特許文献１（１９９４年１０月７日出願）で特許を受けたことがある。この特許発明は内部構造が複雑で、蓋と下部本体との間に多くの空間を必要とするため、製品の厚さが厚いべきである。また、蓋を開けるために圧縮スプリングを用いることにより、時間が経ることにつれて本体と蓋の中央部分がふくれる現象が現し、外部挟み部材の水平運動のために外部挟み部材に連結される支持部材がみんなスライド部材を通じて蓋に連結されなければならないので、掃除機の縦の幅を減らすに限界がある。
【特許文献１】大韓民国特許第１１０８１９号公報
【０００４】
本発明者は前記特許の短所を補完して内部構造をより簡単にし、製品の厚さをより薄くすることができる構造を有する掃除機を開発して以下の特許文献２（２００２年９月２４日出願）で出願したことがある。この特許出願では、中央軸、スプリング、及びロープを用いて蓋を開けることができる構造を有することが特徴である。しかし、このような構造は組み立てるに多くの時間がかかって、結局製造原価を上昇させる要因になってきた。
【特許文献２】大韓民国特許出願第２００２−５７６９４号明細書
【０００５】
従って、本発明者は前記特許出願の発明よりも更に簡便に組み立てることができ、また蓋の開閉作動にも何らの問題がない新しい構造の掃除機を開発することに至る。
【発明の開示】
【発明が解決しようとする課題】
【０００６】
本発明の目的は、蓋を開けるために、下部本体の内部に水平に挿入固定されたスプリングの弾性力を、蓋が開く力に転換することを特徴とする綿布雑巾掃除機を提供することにある。
【０００７】
本発明の他の目的は、内部構造をより簡単にすることにより製造原価を節減することができる綿布雑巾掃除機を提供することにある。
【０００８】
本発明のまた他の目的は、内部構造を簡単にすることにより掃除機の厚さを減らすことができる綿布雑巾掃除機を提供することにある。
【０００９】
本発明のまた他の目的は、ハンドルが前後左右に回転することができるように新しい締結構造を有する掃除機を提供することにある。
【００１０】
本発明のまた他の目的は、掃除機を水平に置いたときにハンドルが垂直に直立することができるように新しい締結構造を有する掃除機を提供することにある。
【課題を解決するための手段】
【００１１】
本発明の前記及びその他の目的は、下記で詳細に説明される本発明により全て達成できる。
【００１２】
本発明の綿布雑巾掃除機は、必要なすべての部品が組み立てられる下部本体（１）、前記下部本体に組み立てられる蓋（２）、及び前記蓋を貫通して下部本体に組み立てられるハンドル（３）よりなり、下部本体の両側横の端にそれぞれ綿布雑巾を挟むための内部挟み部材（２２、２６）と外部挟み部材（１９、２１）とが組み立てられ、前記内部挟み部材と外部挟み部材との間に綿布雑巾が挟まれ、また挟まれた綿布雑巾が分離されることができる綿布雑巾掃除機において、蓋（２）の開閉作用によって往復運動をする第１水平ギア（１５、１１５）、第１水平ギアの往復運動によって第２水平ギア（１７、１１７）に動力を伝達するように回転する中間ギア（１６、１１６）、中間ギアの回転によって前記第１水平ギアと反対方向に往復運動をする第２水平ギア（１７、１１７）、前記第２水平ギアの端部に組み立てられて圧縮と弛緩とを反復するスプリング（１４、１１４）、前記第１及び第２水平ギア（１５、１１５；１７、１１７）にそれぞれ組み立てられた外部挟み部材（２１、１９）、スプリング（２５、１２５；２９、１２９）により弾性力を受ける支持部材（２４、１２４；２８、１２８）、及び前記支持部材にそれぞれ組み立てられた内部挟み部材（２２、２６）よりなることをその特徴とする。
【００１３】
蓋（２）と下部本体（１）は結合作動部（５０、１５０）により組み立てられ、蓋が開閉されることにより外部挟み部材（１９、２１）が開閉される。結合作動部は、一対の支持部材（３４、１３４）の下部が下部本体に固定されるように組み立てられ、支持部材（３４、１３４）の上部はスライド部材（３５、１３５）の中間部位に回転するように組み立てられる。一対のスライド部材（３５、１３５）の上部は蓋のスライド部材組立部（３９）に組み立てられ、下部は第１水平ギア（１５、１１５）に組み立てられる。蓋（２）が開閉されると、スライド部材（３５、１３５）はスライディング運動をし、第１水平ギアは往復運動し、第１水平ギアに結合された外部挟み部材（２１）が一緒に往復運動する。
【００１４】
水平ギア（１５、１１５；１７、１１７）がそれぞれ外部挟み部材（２１、１９）と結合される際に外部挟み部材が下部側に弾性力を受けるようにそれぞれスプリング（２０、１２０；１８、１１８）が挿入される。
【００１５】
支持部材（２４、１２４；２８、１２８）がそれぞれ内部挟み部材（２２、２６）と結合される際に内部挟み部材が下部側に弾性力を受けるようにそれぞれスプリング（２３、１２３；２７、１２７）が挿入される。
【００１６】
前記蓋（２）を下部本体に締結するための掛け装置（１２）が下部本体に設けられ、それに相応する締結部材が蓋（２）の下部に設けられる。
【発明を実施するための最良の形態】
【００１７】
以下添付された図面を参考にして本発明の内容を下記で詳細に説明する。
【００１８】
本発明の綿布雑巾掃除機は、必要な全ての部品が組み立てられる下部本体（１）、前記下部本体に組み立てられる蓋（２）及び前記蓋を貫通して下部本体に組み立てられるハンドル（３）よりなり、下部本体の両側横の端にそれぞれ内部挟み部材（２２、２６）と外部挟み部材（１９、２１）とが組み立てられ、前記内部挟み部材と外部挟み部材との間に綿布雑巾が挟まれ、また挟まれた綿布雑巾が分離されることができる綿布雑巾掃除機に関するものである。
【００１９】
図１は、本発明に係る綿布雑巾掃除機の概略的な斜視図である。図１は内部挟み部材と外部挟み部材との間に綿布雑巾（図示されない）が挟まれて蓋（２）が下部本体（１）に閉まった状態を図示した掃除機の斜視図である。
【００２０】
図１のように、蓋が下部本体に閉まった状態で蓋をタッチ（ｔｏｕｃｈ）すると蓋が開く。再び蓋を押すと閉まる。このような掛け装置は大韓民国特許第１１０８１９号だけでなく他の分野でも広く用いられている締結装置である。
【００２１】
図２は図１の掃除機において上部蓋が開いた状態を図示する概略的な斜視図である。蓋が開くと、内部挟み部材（２２、２６）と外部挟み部材（１９、２１）は外側に離れてその間に挟まれていた綿布雑巾が分離される。部品の構造上、外部挟み部材（１９、２１）は内部挟み部材（２２，２６）よりもっと離れるが、そうして始めて綿布雑巾がよく分離されることができるためである。
【００２２】
本発明は内部構造をより簡単にすることにより製造原価を節減し、掃除機の縦の幅と厚さを減らすことができるという長所がある。
【００２３】
図３は蓋が分離された状態の蓋（２）の裏面と下部本体（１）の内部構造を図示した概略的な分解平面図であり、図４は本発明に係る掃除機の下部本体の綿布挟み部材が解除された状態を図示する概略的な平面図である。下部本体（１）にはすべての部品が固定または組み立てられる。第１水平ギア（１５、１１５）は外部挟み部材（２１）に組み立てられて第１水平ギアと外部挟み部材はともに往復運動をすることになる。第１水平ギアの往復運動によって中間ギア（１６、１１６）が回転するように設けられ、中間ギアの回転によって前記第１水平ギアと反対方向に往復運動をする第２水平ギア（１７、１１７）が設けられる。第２水平ギアは外部挟み部材（１９）に組み立てられて第２水平ギアと外部挟み部材はともに往復運動をすることになる。
【００２４】
蓋（２）を押して閉じるとき、前記水平ギア（１５、１１５；１７、１１７）は同時に内側に縮みながら外部挟み部材（１９、２１）も内側に縮む。外部挟み部材が内側に縮むとき、内部挟み部材（２２、２６）も縮む。このとき、支持部材（２４、１２４；２８、１２８）が内側に縮む。この支持部材はガイドにより支持されて内部挟み部材とともに運動する。この支持部材にはそれぞれスプリング（２５、１２５、２９、１２９）が挿入されるが、蓋が閉じた状態ではこのスプリングが圧縮状態になる。蓋が開くと、このスプリングの圧縮力は支持部材を外部側に押すことになり、それに結合された内部挟み部材も一緒に外部側に離れることになる。
【００２５】
水平ギア（１５、１１５；１７、１１７）がそれぞれ外部挟み部材（２１、１９）と結合されるとき、外部挟み部材が下部側に弾性力を受けるようにそれぞれスプリング（２０、１２０；１８、１１８）が挿入される。このスプリングは本発明が属する技術分野で通常の知識を有する者により容易に実施できる。
【００２６】
支持部材（２４、１２４；２８、１２８）がそれぞれ内部挟み部材（２２、２６）と結合されるとき、内部挟み部材が下部側に弾性力を受けるようにそれぞれスプリング（２３、１２３；２７、１２７）が挿入される。このスプリングも本発明が属する技術分野で通常の知識を有する者により容易に実施できる。
【００２７】
第２水平ギア（１７、１１７）の端部にはスプリング（１４、１１４）が設けられて第２水平ギアが往復運動するときにスプリング（１４、１１４）は圧縮と弛緩とを反復する。蓋（２）が閉じた状態では外部挟み部材（１９、２１）が綿布雑巾を挟んでいる状態であるため、スプリング（１４、１１４）は圧縮される。蓋が開くと、圧縮されたスプリング（１４、１１４）の圧縮力により外部挟み部材が外部側に離れ、内部挟み部材（２２、２６）と外部挟み部材との間に挟まれていた綿布雑巾は解除される。もちろん、第１水平ギア（１５、１１５）の端部にもそれぞれスプリングを設けて蓋を開くに必要な圧縮力を２倍にすることもできる。本発明では第２水平ギアの端部だけにスプリング（１４、１１４）を設けたが、第１水平ギアにもスプリングが設けられることができる。
【００２８】
図５は本発明の蓋と下部本体とを結合し、蓋が開閉されながら綿布雑巾を挟んで解除するための手段である結合作動部を概略的に図示した斜視図である。蓋（２）と下部本体（１）とは結合作動部（５０、１５０）により組み立てられ、蓋が開閉されることにより外部挟み部材（１９、２１）が開閉される。結合作動部は一対の支持部材（３４、１３４）の下部が下部本体（１）に固定されるように組み立てられ、この支持部材（３４、１３４）の上部はスライド部材（３５、１３５）の中間部位で回転するように組み立てられる。一対のスライド部材の上部は蓋のスライド部材組立部（３９）に組み立てられ、下部は第１水平ギアに組み立てられる。蓋が開閉されると、スライド部材（３５、１３５）はスライディング運動をし、第１水平ギア（１５、１１５）は往復運動し、第１水平ギアに結合された外部挟み部材（２１）が一緒に往復運動する。支持部材（３４、１３４）の下部が下部本体（１）に固定されるため、結合作動部（５０、１５０）は蓋の開閉によってスライディング運動をし、その結果第１水平ギア（１５、１１５）は往復運動することになるのである。
【００２９】
第１水平ギアと第２水平ギアとは中間ギア（１６、１１６）によってかみ合っているので、常に反対方向に往復運動する。第２水平ギアの往復運動によってスプリング（１４、１１４）は圧縮と弛緩とを反復する。蓋が閉じた状態ではこのスプリング（１４、１１４）が圧縮状態になる。蓋が開くと、このスプリングの圧縮力は第２水平ギアを外部側に押すことになり、その結果第１水平ギアも一緒に外部側に押される。そして、外部挟み部材が一緒に外部側に離れることになる。
【００３０】
前記蓋を下部本体に締結するための掛け装置（１２）が下部本体に設けられ、それに相応する締結部材が蓋の裏面に設けられる。下部本体に蓋を締結するための掛け装置は、本発明が属する技術分野の当業者により容易に実施できる。
【００３１】
下部本体に一体に形成されたハンドル固定部（１１）にはハンドル（３）が固定される。本発明ではハンドルが前後左右に回転することができ、ハンドルが垂直状態に直立することができることもその特徴といえる。
【００３２】
図６は本発明に係る掃除機のハンドルがハンドル固定部に固定される手段を分解した概略的な分解斜視図である。まず、一対のハンドル固定部（１１）の穴（３０３）に中間締結部材（３０２）を組み立てる。即ち、中間締結部材の締結突起（３０４）が穴（３０３）に固定されるように結合する。中間締結部材（３０２）の穴（３０５）の中に、ハンドルが結合されたハンドル締結部材（３０１）を結合する。即ち、ハンドル締結部材の締結突起（３１５）が中間締結部材の穴（３０５）に結合される。
【００３３】
図７は本発明に係る掃除機のハンドルをハンドル固定部に固定するための中間締結部材（３０２）の概略的な分解斜視図である。中間締結部材は下部部材（３１０）、上部部材（３１２）、及びその間に挿入されるスプリング（３１１）よりなる。スプリング（３１１）は上部に上部スプリング突起（３０６）と下部に下部スプリング突起（３０７）とが形成されるが、上部スプリング突起は上部部材（３１２）の穴（３１３）に位置し、下部スプリング突起は下部部材（３１０）の穴（図示されない）に位置する。即ち、上下部スプリング突起（３０６、３０７）はスプリングの圧縮力による弾性を維持している。上部スプリング突起（３０６）はハンドル締結部材（３０１）の底面に形成された溝（３０９）に位置してハンドル（３）が直立することができるようにする。図８はハンドル下部のハンドル締結部材の底面を図示した概略的な斜視図である。
【００３４】
従来の掃除機のハンドルは直立することができなくて横に傾くため、保管上便利ではなかった。しかし、本発明ではハンドルを垂直に直立することができるため、保管時にも外見上整頓された感じを与えることができる。図９はハンドルが垂直に立てている状態の掃除機を図示した概略的な斜視図である。
【００３５】
本発明で用いられる綿布雑巾としては、織物、不織布、ペーパー材質などがあり、床を掃除した後に汚れた雑巾を分離して洗濯した後、反復して用いることができる。
【００３６】
本発明は内部構造をより簡単にすることにより、製造原価を節減することができ、掃除機の厚さを減らすことができ、ハンドルが前後左右に回転することができ、及び掃除機を水平に置いたときにハンドルが垂直に直立することができるように、新しい締結構造を有する掃除機を提供する発明の効果を有する。
【００３７】
本発明の単純な変形ないし変更はこの分野の通常の知識を有する者により容易に実施でき、このような変形や変更はすべて本発明の領域に含まれる。
【図面の簡単な説明】
【００３８】
【図１】本発明に係る綿布雑巾掃除機の概略的な斜視図。
【図２】図１の掃除機において上部蓋が開いた状態を図示する概略的な斜視図。
【図３】蓋が分離された状態の蓋の裏面構造と下部本体の内部構造とを図示した概略的な分解平面図。
【図４】本発明に係る掃除機の下部本体の綿布雑巾挟み部材が解除された状態を図示する概略的な平面図。
【図５】本発明の蓋と下部本体とを結合して蓋が開閉されながら綿布雑巾を挟んで解除するための手段である結合作動部を概略的に図示した斜視図。
【図６】本発明に係る掃除機のハンドルがハンドル固定部に固定される手段を分解した概略的な分解斜視図。
【図７】本発明に係る掃除機のハンドルをハンドル固定部に固定するための中間締結部材（３０２）の概略的な分解斜視図。
【図８】ハンドル下部のハンドル締結部材の底面を図示した概略的な斜視図。
【図９】ハンドルが垂直に立てている状態の掃除機を図示した概略的な斜視図。
【符号の説明】
【００３９】
１    下部本体
２    蓋
３    ハンドル
１１    ハンドル固定部
１２    掛け装置
１４、１１４    スプリング
１５、１１５    第１水平ギア
１６、１１６    中間ギア
１７、１１７    第２水平ギア
１８、１１８    スプリング
１９、２１    外部挟み部材
２０、１２０    スプリング
２２、２６    内部挟み部材
２３、１２３    スプリング
２４、１２４    支持部材
２５、１２５    スプリング
２７、１２７    スプリング
２８、１２８    支持部材
２９、１２９    スプリング
３０    突起
３１    鋸歯
３４、１３４    支持部材
３５、１３５    スライド部材
３６    締結溝
３７    締結突起
３８    穴
３９    スライド部材組立部
４０    締結突起
５０、１５０    結合作動部
３０１    ハンドル締結部材
３０２    中間締結部材
３０３    穴
３０４    締結突起
３０５    穴
３０６    上部スプリング突起
３０７    下部スプリング突起
３０８    締結突起
３０９    溝
３１０    下部部材
３１１    スプリング
３１２    上部部材
３１３    穴
３１４    穴
３１５    締結突起
【図１】
2004344638.tif 000003
【図２】
2004344638.tif 000004
【図３】
2004344638.tif 000005
【図４】
2004344638.tif 000006
【図５】
2004344638.tif 000007
【図６】
2004344638.tif 000008
【図７】
2004344638.tif 000009
【図８】
2004344638.tif 000010
【図９】
2004344638.tif 000011